(57)【要約】【課題】原稿サイズを正確に検知する原稿読取装置を提供する。【解決手段】原稿読取装置において、原稿を載せるコンタクトガラスを上面に備えた装置本体と、装置本体上面に前記コンタクトガラスを覆うように開閉自在に設けられた開閉部と、開閉部の開閉状況を検出する開閉角度検出手段と、装置本体内に装備され、開閉部の開閉状況に応じて原稿のサイズを検出する原稿サイズ検出センサと、その原稿サイズ検出センサが原稿サイズを検出した後、原稿を読み取る読み取り手段とを備え、厚みのある原稿をコンタクトガラスに載せて開閉部を閉じた状態にしたとき、開閉部が厚みのある原稿を全面にわたって押え、開閉角度検出手段が閉じた状態であることを検知し、原稿サイズ検出センサを作動させる。【選択図】図７
2005070288.tif 000002
【特許請求の範囲】
【請求項１】
原稿を載せるコンタクトガラスを上面に備えた装置本体と、
該装置本体上面に前記コンタクトガラスを覆うように開閉自在に設けられた開閉部と、
該開閉部の開閉状況を検出する開閉角度検出手段と、
前記装置本体内に装備され、前記開閉部の開閉状況に応じて前記原稿のサイズを検出する原稿サイズ検出センサと、該原稿サイズ検出センサが原稿サイズを検出した後、前記原稿を読み取る読み取り手段とを備えた原稿読取装置において、
厚みのある原稿を前記コンタクトガラスに載せて前記開閉部を閉じた状態にしたとき、前記開閉部が前記厚みのある原稿を全面にわたって押え、前記開閉角度検出手段が前記閉じた状態であることを検知し、前記原稿サイズ検出センサを作動させることを特徴とする原稿読取装置。
【請求項２】
前記開閉角度検出手段が検出溝と、該検出溝を前記開閉部に追従して移動する遮光板を備え、前記厚みのある原稿を読み取るときは、前記遮光板が前記検出溝から離隔することを特徴とする請求項１に記載の原稿読取装置。
【請求項３】
前記開閉角度検出手段がプッシュスイッチと押し部材を備え、前記押し部材が前記プッシュスイッチを押して通電することによって前記開閉部が開いた状態であることが検知され、前記厚みのある原稿を読み取るときは、前記押し部材が前記プッシュスイッチから離隔することを特徴とする請求項１に記載の原稿読取装置。
【請求項４】
前記開閉部が圧板であることを特徴とする請求項１ないし３のいずれかに記載の原稿読取装置。
【請求項５】
前記開閉部に自動原稿搬送装置を備えることを特徴とする請求項１ないし４のいずれかに記載の原稿読取装置。
【発明の詳細な説明】
【技術分野】
【０００１】
本発明は、本など厚みのある原稿をコンタクトガラスに載置した状態で圧板、ＡＤＦ等で押しつけて読み取ることが可能な複写機、ファクシミリ等の画像形成装置に備える画像読取装置、スキャナ等の原稿読取装置に関する。
【背景技術】
【０００２】
従来の原稿読取装置は、コンタクトガラス上に置かれた原稿のサイズを検出するため、コンタクトガラスの下方に配置された原稿サイズ検出センサを設け、コンタクトガラス面を介して複数個のセンサから光を照射し、原稿面からの反射光の有無により原稿のサイズを判定する。
【０００３】
この原稿読取装置では、コンタクトガラス上の原稿をコンタクトガラスに押し付ける原稿押えを備えた回動可能な開閉部を備えており、その原稿押えの裏面は白色となっており、原稿領域外が黒色として読み取られるのを防止している。したがって、開閉部を完全に閉じて原稿押えで原稿を押さえた状態（閉位置）では、原稿サイズ検出センサで原稿のサイズを正確に検出できるが、開閉部を完全に閉じないで原稿押えで原稿を押えた状態（開位置）では、原稿サイズ検出センサの全てのセンサが反応して原稿のサイズを正確に検出することができない。
【０００４】
そこで、原稿サイズの検出を行うタイミングを、原稿をコンタクトガラス上の所定位置に置き、原稿押えがなるべく閉位置に近い角度まで閉じた時に行うように設定する技術が開示されている（例えば特許文献１）。これによると、読み取るべき原稿を乗せるコンタクトガラスを備えた装置本体と、コンタクトガラスの下方に配置され、コンタクトガラス上の原稿を読み取る読み取り手段と、コンタクトガラスの下方に配置され、コンタクトガラス上の原稿のサイズを検出する原稿サイズ検出センサと、装置本体に対して回動可能に設けられ、コンタクトガラス上の原稿をコンタクトガラスに押し付ける原稿押えを備えた開閉部と、その開閉部が開位置からコンタクトガラスに対して、原稿サイズ検知を行うべき所定の角度にまで閉じたことを検出する開閉角度検出手段を備え、この開閉角度検出手段が、装置本体と開閉部の一方に取り付けられた開閉角度検出センサと、他方に取り付けられ、その開閉角度検出センサを作動させるシャッタとを有する。
【０００５】
図９において、上記原稿読取装置は、原稿サイズ検出センサ８とは別に、コンタクトガラス２の原稿載置領域外に、開閉部４に付随する遮光板１２を備え、コンタクトガラス２を設けた装置本体１にはその遮光板６で作動させられる開閉角度検出センサ３を設けておき、コンタクトガラス２上の所定位置に原稿７をセットし、開閉部４を閉じて行く際に、その開閉部４が所定の原稿サイズ検出位置、すなわち装置本体１内の原稿サイズ検出センサ８による原稿サイズ検出に干渉する位置ｂよりも少し手前の位置（すなわちａ側）に達したことを遮光板６と開閉角度検出センサ３で検出し、その時の原稿サイズ検出センサ８からの出力信号によって原稿サイズ検出を確定する。
【０００６】
この原稿読取装置によれば、開閉部がコンタクトガラスに対して所定の角度まで閉じたことを検出するための開閉角度検出手段として、シャッタで作動されるタイプのセンサを用い、開閉部と装置本体の一方にシャッタを、他方にセンサを取り付けるという構成としたことにより、コンタクトガラスの原稿載置領域以外に別途センサを設ける必要がなくなり、コンタクトガラスの面積を小さくでき、そのため装置の小型化を実現でき、更に、このセンサはシャッタで作動されるのみであるので、誤動作を防止できる等の効果がある。
【０００７】
一方、本などの厚物原稿の場合には、図１０に示すように、開閉部４にヒンジ４を用いて装置本体１に差し込み、本などの厚みのある原稿７をコンタクトガラス２上に載せて、開閉部４を閉じ、開閉部４の裏面（原稿押え）５が厚みのある原稿７に当接するとヒンジ９の差し込みが浮き上がって開閉部４自体が持ち上がり、コンタクトガラス２に原稿を均一に押さえつけることが可能な技術が開示されている（例えば特許文献２）。
また、厚みのある原稿を使用するときに、開閉部を閉じて開閉部の裏面が厚物原稿に当接するとヒンジが中折れして開閉部自体が持ち上がり、コンタクトガラスに厚物原稿を均一に押さえつけることが可能な技術も開示されている（例えば特許文献３）。
【特許文献１】特開平１０−１４５５４６号公報
【特許文献２】特許第３２０２８１４号公報
【特許文献３】特開平９−９６８７７号公報
【発明の開示】
【発明が解決しようとする課題】
【０００８】
しかし、従来方式の場合、特許文献３のように原稿押えの開閉部のヒンジが装置本体に差し込まれる場合、本などの厚物原稿を使用すると、原稿押えを閉じ原稿押えの下面が厚物原稿に当接するとヒンジの差込が抜けて原稿押え自体が持ち上がり、コンタクトガラスに原稿を均一に押さえつけることが可能となっている。
【０００９】
また、特許文献２のヒンジも同様で本などの厚物原稿を使用する場合、原稿押えを閉じ原稿押えの下面が厚物原稿に当接するとヒンジが中折れして原稿押え自体が持ち上がり、コンタクトガラスに原稿を均一に押さえつけることが可能となっている。ここでシート原稿を使用した場合と、厚物原稿を使用した場合で開閉角度検出センサの出力信号が下記表１のシート原稿従来技術の欄のようになる。
【００１０】
【表１】
2005070288.tif 000003
【００１１】
まず、図９のシート原稿７の場合、原稿押え４を開けたａ位置の開閉角度検出センサ８が表１のようにＯＦＦから閉じて遮光板６が開閉角度検出センサ８に達するｂ位置で、開閉角度検出センサ６が表１のようにＯＦＦ→ＯＮに切り替わり原稿サイズを確定した後、更に原稿押え４を閉じて、原稿押え４の下面５がシート原稿７に当接し、コピー可能状態となる。
【００１２】
しかし、図１０の厚物原稿７を使用した場合では、原稿押え４を開けたｃ位置の開閉角度検出センサ８が表１の厚物原稿７の従来技術の欄のようにＯＦＦから閉じて、遮光板６が開閉角度検出センサ８に達するｄ位置で、開閉角度検出センサ８が表１のようにＯＦＦ→ＯＮに切り賛わり原稿サイズを確定した後、更に原稿押え４を閉じて、原稿押え４の下面５が厚物原稿７に当接し、特許文献３の場合では図１０の、ｅ位置のように原稿押え４自体が持ち上がってしまうと、原稿押え４の遮光板６も同時に持ち上がり、遮光板６が開閉角度検出センサ８から抜けて、ＯＮ→ＯＦＦに切り替わり、装置自身は再び原稿押え４が開いた状態と同じＯＦＦ信号状態となることが表１より判る。
【００１３】
その状態でコピースタートボタンを押すと、複写機本体１は原稿押え４が開いた状態と勘違いし、原稿サイズ検出センサ８はそのコピーボタンを押した時の信号を見に行く。しかし実際の原稿押え４自身は原稿押え４の下面５が厚物原稿７に当接し持ち上がっている状態なので、装置自身は原稿押え４の下面５の白色を読んで原稿サイズを誤検知してしまうという問題があった。
そこでこの発明の目的は、原稿サイズを正確に検知する原稿読取装置を提供することにある。
【課題を解決するための手段】
【００１４】
請求項１の発明は原稿を載せるコンタクトガラスを上面に備えた装置本体と、
該装置本体上面に前記コンタクトガラスを覆うように開閉自在に設けられた開閉部と、
該開閉部の開閉状況を検出する開閉角度検出手段と、
前記装置本体内に装備され、前記開閉部の開閉状況に応じて前記原稿のサイズを検出する原稿サイズ検出センサと、該原稿サイズ検出センサが原稿サイズを検出した後、前記原稿を読み取る読み取り手段とを備えた原稿読取装置において、
厚みのある原稿を前記コンタクトガラスに載せて前記開閉部を閉じた状態にしたとき、前記開閉部が前記厚みのある原稿を全面にわたって押え、前記開閉角度検出手段が前記閉じた状態であることを検知し、前記原稿サイズ検出センサを作動させることを特徴とする。
【００１５】
請求項１の発明では、厚みのある原稿をコンタクトガラスに載せて開閉部を閉じた状態にしたとき、開閉部が厚みのある原稿を全面にわたって押え、開閉角度検出手段が閉じた状態であることを検知し、原稿サイズ検出センサを作動させるので、厚みのある原稿であっても原稿サイズを正確に検知する。
【００１６】
請求項２の発明は、請求項１に記載の原稿読取装置において、前記開閉角度検出手段が検出溝と、該検出溝を前記開閉部に追従して移動する遮光板を備え、前記厚みのある原稿を読み取るときは、前記遮光板が前記検出溝から離隔することを特徴とする。
【００１７】
請求項２の発明では、開閉角度検出手段が検出溝とその検出溝を開閉部に追従して移動する遮光板を備え、厚みのある原稿を読み取るときは、遮光板が検出溝から離隔するので、開閉部の回動を正確に検知し、かつ、厚みのある原稿を読み取るときは、検出溝から遮光板が離れて、開閉角度検出手段が確実に閉じた状態となる。
【００１８】
請求項３の発明は、請求項１に記載の原稿読取装置において、前記開閉角度検出手段がプッシュスイッチと押し部材を備え、前記押し部材が前記プッシュスイッチを押して通電することによって前記開閉部が開いた状態であることが検知され、前記厚みのある原稿を読み取るときは、前記押し部材が前記プッシュスイッチから離隔することを特徴とする。
【００１９】
請求項３の発明では、開閉角度検出手段がプッシュスイッチと押し部材を備え、押し部材がプッシュスイッチを押して通電することによって開閉部が開いた状態であることが検知され、厚みのある原稿を読み取るときは、押し部材がプッシュスイッチから離隔するので、厚みのある原稿を読み取るときは、プッシュスイッチから押し部材が離れて、開閉角度検出手段が確実に閉じた状態となる。
【００２０】
請求項４の発明は、請求項１ないし３のいずれかに記載の原稿読取装置において、前記開閉部が圧板であることを特徴とする。
【００２１】
請求項４の発明では、開閉部が圧板なので、厚みのある原稿をコンタクトガラスに容易に押し付け、原稿を確実に読み取ることができる。
【００２２】
請求項５の発明は、請求項１ないし４のいずれかに記載の原稿読取装置において、前記開閉部に自動原稿搬送装置を備えることを特徴とする。
【００２３】
請求項５の発明では、開閉部に自動原稿搬送装置を備えるので、定型の複数枚の原稿を連続して読み取ることができる。
【発明の効果】
【００２４】
請求項１に記載の発明によれば、厚みのある原稿をコンタクトガラスに載せて開閉部を閉じた状態にしたとき、開閉部が厚みのある原稿を全面にわたって押え、開閉角度検出手段が閉じた状態であることを検知し、原稿サイズ検出センサを作動させるので、原稿サイズ確定のタイミングが原稿の厚みにより変化することが無く、従ってどんな厚みの原稿であっても開閉部の白色シートを原稿と誤って検知することなく、かつ厚みのある原稿であっても原稿サイズを正確に検知する原稿読取装置を提供することができる。
【００２５】
請求項２に記載の発明によれば、開閉角度検出手段が検出溝と、その検出溝を開閉部に追従して移動する遮光板を備え、厚みのある原稿を読み取るときは、遮光板が検出溝から離隔するので、開閉部の回動を正確に検知し、かつ、厚みのある原稿を読み取るときは、検出溝から遮光板が離れて、開閉角度検出手段を確実に閉じた状態とし、原稿サイズを正確に検出することができる。
【００２６】
請求項３に記載の発明によれば、開閉角度検出手段がプッシュスイッチと押し部材を備え、押し部材がプッシュスイッチを押して通電することによって開閉部が開いた状態であることが検知され、厚みのある原稿を読み取るときは、押し部材がプッシュスイッチから離隔するので、厚みのある原稿を読み取るときは、プッシュスイッチから押し部材が離れて、開閉角度検出手段を確実に閉じた状態とし、原稿サイズを正確に検出することができる。加えて、安価に開閉角度検出手段を構成することができる。
【００２７】
請求項４に記載の発明によれば、開閉部が圧板なので、重量により厚みのある原稿をコンタクトガラスに容易に押し付けることができ、原稿を確実に読み取らせることができる。
【００２８】
請求項５に記載の発明によれば、開閉部に自動原稿搬送装置を備えるので、定型の複数枚の原稿を連続して読み取ることができ、原稿読取作業の効率を良くすることができる。
【発明を実施するための最良の形態】
【００２９】
この発明の一例としての原稿読取装置は、図１に示すように複写機のスキャナ（画像読取装置）に適用したものである。１１は複写機の装置本体、１２はその装置本体１１の上面に備えたコンタクトガラス、１３は操作部、１３ａはコピースタートキー、１４は装置本体１１の上面にコンタクトガラス１２を覆うように開閉自在に設けられた開閉部であり、その裏面１５に原稿押える白色シートを備えている。
【００３０】
１６は装置本体１１に対して開閉部１４を回動可能に保持する支持するヒンジ、１７はコンタクトガラス１２上に置かれた原稿、１８はコンタクトガラス１２の下方に配置され、コンタクトガラス１２上に載置された原稿１７のサイズを検出する原稿サイズ検出センサである。この原稿サイズ検出センサ１８は、コンタクトガラス１２に向かって光を照射し、原稿面からの反射光の有無により原稿のサイズを判断するものであり、各種原稿サイズに対応しうるよう複数配置されている。
【００３１】
具体的には、図２（ａ）に示すように、コンタクトガラス１２の下方にコンタクトガラス１２の上の原稿１７を読み取る読み取り手段を装置本体１内に設け、コンタクトガラス１２上の原稿１７のサイズを検出する原稿サイズ検出センサ１８ａ，１８ｂを備え、検出したデータを図２（ｂ）の原稿サイズマトリックスと照合して原稿サイズを決定する。
【００３２】
再び図１に戻って、装置本体１１に対して回動可能に設けられ、コンタクトガラス１２上の原稿１７をコンタクトガラス１２に押し付ける開閉部１４とその開閉部１４が開位置からコンタクトガラス１２に対して原稿サイズ検知を行うべき所定の角度にまで閉じたか否か（開閉状況）を検出する開閉角度検出センサ（開閉角度検出手段）２０を備え、この開閉角度検出センサ２０は、検出溝を設けたフォトインタラプタと、開閉部１４に追従して移動する遮光板２２とを備え、装置本体１に取り付けられている。
【００３３】
図３には、この例の読取装置の制御ブロック図を示す。コンタクトガラス１２上に原稿１７を載せ、開閉部１４を所定の角度まで閉じると、遮光板２２が開閉角度検出センサ２０を作動させて、原稿サイズ検出を行うべき所定の角度にまで閉じたことを出力信号として読み取りコントロールに出力する。読取コントローラ３１が原稿サイズ検出センサ１８からの信号により図２（ｂ）の原稿サイズマトリックスから原稿サイズ検出を行い、原稿サイズを確定しコピー可能な状態とする。そして、画像読取センサ３２、スキャナモータ３３を作動して画像の読取を行う。
【００３４】
なお、開閉部１４が開いたままの状態でコピーする場合は、操作部１３よりコピースタートキーが押されたという信号が本体制御部３４から、本体画像処理部３５を介して読取コントローラ３１に送られ、開閉角度検出センサ２０からの信号が開いた状態であることを検出して、原稿サイズ検出センサ１８からの信号に基づいて、図２（ｂ）の原稿サイズマトリックスから原稿サイズ検出を行い、原稿サイズを確定して読取可能な状態となる。
【００３５】
このように構成された原稿読取装置にてシート原稿を読み取るには、装置本体１１のコンタクトガラス１２上の所定の位置にシート原稿１７を載せる。そして、開閉部１４を矢印のように閉状態にすると、開閉部１４が一定の角度まで閉じた時にシート原稿のサイズを検出する原稿サイズ検出センサ１８と、原稿サイズ検知を行うべき所定の角度にまで閉じたことを検出する開閉角度検出センサ２０と、その開閉角度検出センサ２０を作動させる遮光板２２とによって、シート原稿の正確なサイズが決定され、図３の制御にしたがってシート原稿１７の読取が行われる。
【００３６】
この例では、開閉角度検出センサ２０の取付位置、遮光板２２の形状及び取付位置は、図４，５に示すように、開閉部１４を開位置Ａに示すように開状態とした時には、遮光板２２の側端縁２２ａが開閉角度検出センサ２０の動作点Ｐから離れた開位置Ａ１にあり、開閉部１４を次第に閉じて、原稿サイズ検出角度に達した時には、遮光板２２の側端縁２２ａが開閉角度検出センサ２０の動作点Ｐを遮る位置Ｂ１となり、更に開閉部１４を閉じ、開閉部１４で閉位置Ｃに示すようにシート原稿１７を押さえる閉位置となった時には、遮光板２２の側端縁２２ａが開閉角度検出センサ２０の動作点Ｐを通り過ぎた閉位置Ｃ１となり、しかもその遮光板２２が動作点Ｐを通過した状態に保たれるように設けられている。
【００３７】
このようにして、開閉部１４を開位置から閉位置とする間に、遮光板２２の側端縁２２ａが位置Ｂ１に達した時点で開閉角度検出センサ２０の出力信号が切り替わる。具体的にはシート原稿１７の場合、開閉角度検出手段としての遮光板２２及び開閉角度検出センサ２０は、開閉部１４が開位置Ａ１は遮光板２２が開閉角度検出センサ２０を遮光しているため、開閉角度検出センサ２０はＯＮの信号を出力しているなお、この例では遮光した場合を０Ｎとしている。
【００３８】
この状態から開閉部１４を閉じていくと、原稿サイズ検出センサ１８が検出可能な距離に達する前に、遮光板２２が開閉角度検出センサ２０を遮光しなくなるよう遮光板２２の形状を設定しているため、開閉角度検出センサ２０はＯＮ→ＯＦＦの信号に切り替わり（Ｂ位置）、読取コントローラ３１に出力され、原稿サイズ検出センサ１８からの信号により原稿サイズを確定し読取可能な状態となる。
【００３９】
次に、この例の原稿読取装置にて本などの厚みのある原稿を読み取るには、図６に示すように、開閉部１４を矢印の方向に閉じた状態とし（Ｅ位置）、開閉部１４が原稿１７と当接すると原稿１７をコンタクトガラス１２に載せてＤ位置から開閉部１４の回動中心にあるヒンジ１６の支点が装置本体１から持ち上がることによって、開閉部１４の裏面１５がコンタクトガラス１２に水平になって厚みのある原稿１７を全面にわたって均等に押圧することが可能になる。
【００４０】
ところで、原稿１７が本などの厚物の場合では開閉部１４が、破線Ｄで示す（Ｄ位置）ように開位置では遮光板２２が開閉角度検出センサ２０を遮光しているため、開閉角度検出センサ２０はＯＮの信号を出力している。この位置から開閉部１４を閉じて原稿サイズ検出センサ１８が検出可能な距離に達する手前で、破線Ｅの位置（Ｅ位置）にすると開閉角度検出センサ２０は信号がＯＮ→ＯＦＦに切り替わり、さらに開閉部１４を閉じてＦの位置にすると、原稿１７と当接して、開閉部１４が閉じた状態であることを検知し、開閉部１４の回動中心のヒンジ１６の支点が装置本体１１から持ち上がり、開閉部１４の裏面１５がコンタクトガラス１２に水平になる。
【００４１】
なお、開閉部１４を閉じかけて、原稿１７と当接したときの破線Ｅの位置では、図７に示すように、すでに遮光板２２の側端部２２ａは動作点Ｐを遮るＤ１から離れた位置Ｅ１にあり、この状態から一点鎖線で示すようにヒンジ１６が装置本体１１から持ち上げられ、Ｆ位置となる。このとき、遮光板２２の側端部２２ａはフォトインタラプタの検出溝から離隔し、動作点Ｐから離れた位置Ｆ１にあるため、開閉角度検出センサ２０は常時ＯＦＦの信号を制御装置に出力し、この動作による信号の変化はない。
【００４２】
この一連の動作を図８のフローチャートを使って説明する。まず、Ｓ１にて、開閉角度検出センサ２０を常時確認し、開閉角度検出センサ２０がＯＦＦとなっているかを判定する。開閉部１４が開いている状態（図４のＡ位置、図６のＤ位置）では、センサはＯＮとなっているので、閉じかかる（図４のＢ，Ｃ位置、図６のＥ，Ｆ位置）とシート原稿１７および厚物原稿１７とも開閉角度検出センサ２０の出力信号がＯＮからＯＦＦに切り替わる。出力信号がＯＦＦのときは、Ｓ２に進み、読取コントローラ３１により原稿サイズ検知センサ１８からの信号を基に原稿サイズマトリックスから原稿サイズを検出して確定し読取可能状態とする。
【００４３】
次にＳ３にて、操作部３上のコピーボタン１３ａが押されたかを判定し押されるまで待機する。コピーボタン３ａが押されたら、コピースタートボタン１３ａのスタート信号が操作部１３、本体制御部３４、画像処理部３５を通して読取コントローラ３１に出力され確定原稿サイズにて読取が開始される。
そして、Ｓ４にて、読取コントローラ３１は不図示のスキャナが確定された原稿サイズの範囲をモータを駆動させることによってスキャンする。なお、画像読取センサ３２で読み取った原稿の信号を本体画像処理部３５へ出力して画像データとし、この画像データをもとに本体制御部３４は作像し、転写紙に転写出力する。
【００４４】
また、Ｓ１にて、開閉部１４が閉じかかると（図４のＢ，Ｃ位置、図６のＥ，Ｆ位置）では、開閉角度検出センサ２０はＯＮとなっているので、Ｓ５に進み、操作部１３のコピーボタン１３ａが押されたかを判定し、押されるまで待機する。コピーボタン１３ａが押されたら、Ｓ６にて、コピースタートボタンのスタート信号が操作部１３、本体制御部３４、画像処理部３５を介して読取コントローラ３１に出力され、原稿サイズ検知センサ１８からの信号により原稿サイズマトリックスで検出した原稿サイズを確定する。そして、Ｓ７に進み、読取コントローラ３１は不図示のスキャナが確定された原稿サイズの範囲をモータを駆動させることによってスキャンする。なお、画像読取センサ３２で読み取った原稿の信号を本体画像処理部３５へ出力して画像データとし、この画像データをもとに本体制御部３４は作像し、転写紙に転写出力する。
【００４５】
このようにこの例では、原稿の厚みに関わらず常に開閉角度検出センサ２０は同じ出力信号を読取コントローラ３１に出力しているため、開閉部１４の裏面１５にある白色シートの色を原稿サイズ検出センサ１８が誤検知して原稿サイズを誤ることはない。
【００４６】
なお、この実施例の原稿読取装置は、開閉部１４を圧板として記載しているが、開閉部１４が自動原稿搬送装置（ＡＤＦ）であっても、開閉部１４が自動原稿搬送装置のフレームであり、フレームと一体あるいは取り付けられた遮光板２２を同様に構成することにより、同様の効果が得られる。また、本実施例では開閉角度検出手段は検出溝を有する開閉角度検出センサ２０としてフォトインタラプタと遮光板２２によって構成しているが、開閉角度検出センサ２０をプッシュスイッチと押し部材によって構成してもよい。この場合、押し部材がプッシュスイッチを押して通電することによって開閉部が開いた状態であることが検知され、厚みのある原稿を読み取るときは、押し部材がプッシュスイッチから離隔するようになっている。
また、開閉部１４は、圧板で構成されていてもよい。
【００４７】
さらに、この例では、複写機に備える原稿読取装置について説明したが、この発明はこれに限定されるものではなく、ファクシミリ・複写機などの複合機や、スキャナなどあらゆる原稿読取装置に適用することができる。
【図面の簡単な説明】
【００４８】
【図１】この発明の一例としての原稿読取装置を備えた複写機の要部斜視図である。
【図２】（ａ）は、図１のコンタクトガラスに備える原稿サイズ検出センサを示す図であり、（ｂ）は、原稿サイズマトリックスである。
【図３】図１の制御ブロック図である。
【図４】図１の原稿読取装置にシート原稿を載置したときの概略断面図である。
【図５】図４の要部拡大図である。
【図６】図１の原稿読取装置に厚物原稿を載置したときの概略断面図である。
【図７】図６の要部拡大図である。
【図８】図１の例の原稿読取装置の処理フローチャートである。
【図９】従来の原稿読取装置にシート原稿を載置したときの概略断面図である。
【図１０】従来の原稿読取装置に厚物原稿を載置したときの概略断面図である。
【符号の説明】
【００４９】
１１    装置本体
１２    コンタクトガラス
１３    操作部
１３ａ    スタートボタン
１４    開閉部
１５    裏面
１６    ヒンジ
１７    原稿
１８，１８ａ，１８ｂ    原稿サイズ検知センサ
２０    開閉角度検出センサ（開閉角度検出手段）
２２    遮光板
２２ａ    側端部
３１    読取コントローラ
３２    画像読取センサ（読み取り手段）
３３    スキャナモータ
３４    本体制御部
３５    本体画像処理部
【図１】
2005070288.tif 000004
【図２】
2005070288.tif 000005
【図３】
2005070288.tif 000006
【図４】
2005070288.tif 000007
【図５】
2005070288.tif 000008
【図６】
2005070288.tif 000009
【図７】
2005070288.tif 000010
【図８】
2005070288.tif 000011
【図９】
2005070288.tif 000012
【図１０】
2005070288.tif 000013